(57)【要約】【課題】コンパクトな光源を端面に備えた導光板から、効率よくエバネッセント光を取り出して表示を行う表示素子を提供する。【解決手段】端面３に拡散光源４を備えた導光板１の全反射面２に対して、光抽出構造体５の光抽出面６を光の波長程度の距離まで近づけることにより、光抽出構造体５に導光板内の透過光１１を入射させ、光反射面７で反射させて、導光板１の表示面１２から表示光１７を取り出す。光反射面７と光抽出面６の角度を最適化することにより、表示光１７を効率よく取り出す。【選択図】  図１
2004325647.tif 000002
【特許請求の範囲】
【請求項１】
光を全反射する全反射面と、前記全反射面に対向する表示面と、前記全反射面に垂直な端面を持った平行平板である導光板と、
前記導光板の一端面の近傍に設置された拡散光源と、
前記導光板と屈折率が同じ透光性材料からなり、前記導光板の前記全反射面に対向する位置に設けた光抽出構造体であって、前記全反射面に対向し光を内部に透過させる光抽出面と、前記光抽出面から入射した光を反射させることにより、反射させた光を前記光抽出面から出射させて前記導光板を透過させ、前記導光板の前記表示面から外部へ出射させるように設定された光反射面を少なくとも１つ備えた光抽出構造体と、
前記光抽出面の位置を、前記全反射面から光の波長分の距離よりも遠い第１の位置と、前記全反射面から光の波長分の距離よりも近い第２の位置との間で移動させることが可能である変位素子と、
前記変位素子を駆動する回路を備えた回路基板とで構成され、
前記導光板、前記光抽出構造体、前記変位素子、前記回路基板の順に積層された構造からなる表示素子であって、
前記拡散光源と前記導光板の間に介在する物質の屈折率をｎ０、前記導光板の屈折率をｎ１としたとき、前記光抽出面と前記光反射面とのなす角度θ１が、
【数１】
2004325647.tif 000020
で与えられる角度であることを特徴とする表示素子。
【請求項２】
光を全反射する全反射面と、前記全反射面に対向する表示面と、前記全反射面に垂直な端面を持った平行平板である導光板と、
前記導光板の一端面の近傍に設置された拡散光源と、
前記導光板よりも屈折率が大きい透光性材料からなり、前記導光板の前記全反射面に対向する位置に設けた光抽出構造体であって、前記全反射面に対向し光を内部に透過させる光抽出面と、前記光抽出面から入射した光を反射させることにより、反射させた光を前記光抽出面から出射させて前記導光板を透過させ、前記導光板の前記表示面から外部へ出射させるように設定された光反射面を少なくとも１つ備えた光抽出構造体と、
前記光抽出面の位置を、前記全反射面から光の波長分の距離よりも遠い第１の位置と、前記全反射面から光の波長分の距離よりも近い第２の位置との間で移動させることが可能である変位素子と、
前記変位素子を駆動する回路を備えた回路基板とで構成され、
前記導光板、前記光抽出構造体、前記変位素子、前記回路基板の順に積層された構造からなる表示素子であって、
前記拡散光源と前記導光板の間に介在する物質の屈折率をｎ０、前記導光板の屈折率をｎ１、前記光抽出構造体の屈折率をｎ２としたとき、前記光抽出面と前記光反射面とのなす角度θ２が、
【数２】
2004325647.tif 000021
で与えられる角度であることを特徴とする表示素子。
【請求項３】
前記光抽出構造体の構造が三角柱状構造物であって、前記三角柱状構造物の三角形状の底面が前記導光板の前記端面と垂直となるように設置され、、前記三角柱状構造物の３つの四辺形側面のうち、１つの側面が前記導光板に対向する前記光抽出面であり、残りの少なくとも１つの側面が前記光反射面であることを特徴とする請求項１又は２に記載の表示素子。
【請求項４】
前記三角柱状構造物の３つの四辺形側面のうち、１つの四辺形側面が前記導光板に対向する前記光抽出面であり、他の２つの四角形側面が前記光反射面であることを特徴とする請求項３に記載の表示素子。
【請求項５】
前記導光板の前記表示面に近接して設けられ、前記表示面から出射した光を光学的に変換する少なくとも１つの光学的変換機能を有する光変換層を備えていることを特徴とする請求項１乃至４のいずれか１項に記載の表示素子。
【請求項６】
前記光変換層は、光学的変換機能を持った複数の層の積層体からなることを特徴とする請求項５に記載の表示素子。
【請求項７】
前記光変換層は、光を散乱させる機能を有することを特徴とする請求項５又は６に記載の表示素子。
【請求項８】
前記光変換層は、波長選択機能を有することを特徴とする請求項５乃至７のいずれか１項に記載の表示素子。
【請求項９】
前記拡散光源と前記導光板との間に介在する物質の屈折率をｎ０、前記導光板の屈折率をｎ１としたとき、前記導光板の前記表示面と前記光変換層との間に、
【数３】
2004325647.tif 000022
で与えられる屈折率ｎ３を有する低屈折率層を備えていることを特徴とする請求項５乃至８のいずれか１項に記載の表示素子。
【発明の詳細な説明】
【０００１】
【発明の属する技術分野】
本発明は、拡散光源の光が伝搬する導光板から、光を取り出して画像等を表示する表示素子に関する。
【０００２】
【従来の技術】
従来、表示装置に用いられる表示素子として、ＣＲＴ（カソードレイチューブ）、ＰＤＰ（プラズマディスプレイ）、液晶ディスプレイ、ＬＥＤ（発光ダイオード）、ＥＬ（エレクトロルミネッセンス）等があり、これらについて様々な研究が行われている。
【０００３】
近年、表示素子の１つとして、エバネッセント光を利用した表示素子が提案されている。これは光が導光板等の内部を全反射を繰り返しながら伝搬している状態において、前記導光板の全反射面の外部へ光の波長の距離程度の光が染み出す現象を利用したものである。このように導光板の表面から染み出した光は、エバネッセント光と呼ばれる。前記全反射面に透光物体を光の波長以下の距離まで近づけると、全反射面と透光物体が接していない状態であっても、エバネッセント光は透光物体に入射することが知られている。前記導光板から染み出したエバネッセント光を取り出して表示光として利用することにより表示素子を得ることができる。
【０００４】
エバネッセント光を取り出す方法は、これまでにいくつかの方法が発表されている（例えば、特許文献１乃至３参照。）。
【０００５】
特許文献１に記載された表示装置は、図１０に示すように、導光板１０１、散乱体１０２、アクチュエータ部１０３、振動部１０７、固定部１０６から構成され、アクチュエータ部１０３は、圧電体１０４と一対の電極１０５を備える。
【０００６】
特許文献１の表示装置は、導光板１０１の内部を光１０８が全反射しながら透過している状態において、アクチュエータ部１０３を駆動して散乱体１０２を導光板１０１の全反射面１１１に対して光の波長程度の距離よりも近い位置に移動させる構造を備える。上記散乱体１０２を導光板１０１に近づけることにより、上記散乱体１０２は、導光板１０１から染み出したエバネッセント光を散乱し、導光板１０１の全反射面１１１へ出射する。全反射面１１１へ出射された光を上記全反射面１１１に対向した出射面１１２から取り出すことで、表示光１０９を得ることができる。
【０００７】
また、特許文献２には、図１１に示すようなエバネッセント光を取り出す光スイッチング素子が開示されている。特許文献２の光スイッチング素子は、導光板２０１、マイクロプリズム２０２、バッファ部材２０６、スペーサー２１０、変位素子２１２、ＩＣ部２０９から構成されている。変位素子２１２は、一対の電極２０４、２０５バネ部材２０７、支柱２０８から構成されている。
【０００８】
特許文献２に記載された表示素子は、導光板２０１の内部を光２１５が全反射しながら透過している状態において、変位素子２１２を駆動して導光板２０１の全反射面２１３にマイクロプリズム２０２を近づけることにより、全反射面２１３から染み出したエバネッセント光をマイクロプリズム２０２内へ入射させている。この表示素子は、マイクロプリズム２０２に入射した光をマイクロプリズム２０２内の反射面２０３で反射させて導光板２０１の垂直方向へ光を出射することにより、表示光２１１を得ることができるとされている。
【０００９】
また、特許文献３に記載された表示装置は、上記特許文献２と概ね同様の構造を有している。特許文献３の表示装置は、導入光２１５の全反射面２１３に対する角度θと、マイクロプリズム２０２の頂角φとの関係を
【００１０】
【数４】
2004325647.tif 000003
【００１１】
と規定することにより、導光板２０１から損失の少ない表示光２１１が得られるとされている。
【００１２】
前記各特許文献に記載された発明は、いずれもアクチュエータや駆動部といった変位素子を用いている。近年、変位素子技術の発達により、変位素子は応答速度が速く、小型化でき、消費電力も少ないので、表示素子としても高応答速度、小型化、省電力が期待されている。
【００１３】
【特許文献１】
特開平７−２８７１７６号公報
【特許文献２】
特開平１１−２０２２２２号公報
【特許文献３】
特開平１１−２０２２２３号公報
【００１４】
【発明が解決しようとする課題】
しかしながら、特許文献１に記載された散乱体１０２を用いて導光板１０１からエバネッセント光を取り出す技術においては、散乱体１０２で散乱された光のすべてを表示光１０９として利用し得ないといった問題がある。
【００１５】
即ち、前記導光板１０１から取り出されたエバネッセント光は、前記反射体１０２によりランダムな角度で散乱反射され、再び導光板１０１に入射される。しかし、前記導光板１０１の屈折率は導光板の外部の屈折率よりも大きいため、散乱体１０２により散乱された光のうち、導光板１０１の全反射条件を満たす一部の光１１０は、図１０のように導光板１０１の外部には出射されずに導光板１０１の出射面１１２で全反射してしまう。このように、特許文献１の表示装置では、散乱体１０２で散乱された光のすべてを効率よく導光板１０１から光を取り出すことができず、表示画面が暗いといった問題があった。
【００１６】
また、図１１に示した特許文献２及び３の表示装置では、前記マイクロプリズム２０２の頂角２１４は、マイクロプリズム２０２に入射する光がある特定の入射角度θであるときにのみ、入射された光を好適な角度で導光板２０１に反射することができるように設計されている。一般的に光源として利用されている拡散光源は、出射光の指向性は弱く、様々な方向へ光を出射する。従って、拡散光源を用いた場合、前記マイクロプリズム２０２へは導光板を介して様々な方向から光が入射されるが、マイクロプリズム２０２の反射面２０３で反射された表示光２１１は導光板２０１に垂直方向へ出射されるものは少ない。その結果、特許文献２及び３の表示装置は、光源光の利用効率が低く、画面表示は暗いものになってしまう。
【００１７】
本発明は、以上の問題点を解決するためになされたものあり、光源からの光を有効に利用するとともに導光板から効率よくエバネッセント光を取り出して、明るい表示光を得るように最適化された表示素子を提供するものである。
【００１８】
【課題を解決するための手段】
本発明の表示素子は、光を全反射する全反射面と、前記全反射面に対向する表示面と、前記全反射面に垂直な端面を持った平行平板である導光板と、前記導光板の一端面の近傍に設置された拡散光源と、前記導光板と屈折率が同じ透光性材料からなり、前記導光板の前記全反射面に対向する位置に設けた光抽出構造体であって、前記全反射面に対向し光を内部に透過させる光抽出面と、前記光抽出面から入射した光を反射させることにより、反射させた光を前記光抽出面から出射させて前記導光板を透過させ、前記導光板の前記表示面から外部へ出射させるように設定された光反射面を少なくとも１つ備えた光抽出構造体と、前記光抽出面の位置を、前記全反射面から光の波長分の距離よりも遠い第１の位置と、前記全反射面から光の波長分の距離よりも近い第２の位置との間で移動させることが可能である変位素子と前記変位素子を駆動する回路を備えた回路基板とで構成される。そして、本発明は、前記導光板、前記光抽出構造体、前記変位素子、前記回路基板の順に積層された構造からなる表示素子である。本発明は、前記拡散光源と前記導光板の間に介在する物質の屈折率をｎ０、前記導光板の屈折率をｎ１としたとき、前記光抽出面と前記光反射面とのなす角度θ１が、
【数５】
2004325647.tif 000004
で与えられる角度であることを特徴とする表示素子である。
【００１９】
また、本発明の表示素子は、光を全反射する全反射面と、前記全反射面に対向する表示面と、前記全反射面に垂直な端面を持った平行平板である導光板と、前記導光板の一端面の近傍に設置された拡散光源と、前記導光板よりも屈折率が大きい透光性材料からなり、前記導光板の前記全反射面に対向する位置に設けた光抽出構造体であって、前記全反射面に対向し光を内部に透過させる光抽出面と、前記光抽出面から入射した光を反射させることにより、反射させた光を前記光抽出面から出射させて前記導光板を透過させ、前記導光板の前記表示面から外部へ出射させるように設定された光反射面を少なくとも１つ備えた光抽出構造体と、前記光抽出面の位置を、前記全反射面から光の波長分の距離よりも遠い第１の位置と、前記全反射面から光の波長分の距離よりも近い第２の位置との間で移動させることが可能である変位素子と前記変位素子を駆動する回路を備えた回路基板とで構成されている。そして、本発明は、前記導光板、前記光抽出構造体、前記変位素子、前記回路基板の順に積層された構造からなる表示素子である。本発明は、前記拡散光源と前記導光板の間に介在する物質の屈折率をｎ０、前記導光板の屈折率をｎ１、前記光抽出構造体の屈折率をｎ２としたとき、前記光抽出面と前記光反射面とのなす角度θ２が、
【数６】
2004325647.tif 000005
で与えられる角度であることを特徴とする表示素子である。
【００２０】
本発明において、前記光抽出構造体の構造が三角柱状構造物であって、前記三角柱状構造物の三角形状の底面が前記導光板の前記端面と垂直となるように設置され、、前記三角柱状構造物の３つの四辺形側面のうち、１つの四角形側面が前記導光板に対向する前記光抽出面であり、残りの少なくとも１つの四角形側面が前記光反射面であるとなる構成することが好ましい。
【００２１】
この場合、前記三角柱状構造物の３つの四辺形側面のうち、１つの四角形側面が前記導光板に対向する前記光抽出面であり、他の２つの四角形側面が前記光反射面でとなるように構成することも可能である。
【００２２】
本発明において、前記導光板の前記表示面に近接して設けられ、前記表示面から出射した光を光学的に変換する少なくとも１つの光学的変換機能を有する光変換層を備えているように構成することも可能である。
【００２３】
この場合、前記光変換層は、光学的変換機能を持った複数の層の積層体からなるように構成することも可能である。
【００２４】
また、前記光変換層は、光を散乱させる機能を有するように構成することも可能である。
【００２５】
更に、前記光変換層は、波長選択機能を有するように構成することも可能である。
【００２６】
本発明において、前記拡散光源と前記導光板との間に介在する物質の屈折率をｎ０、前記導光板の屈折率をｎ１としたとき、前記導光板の前記表示面と前記光変換層との間に、
【数７】
2004325647.tif 000006
で与えられる屈折率ｎ３を有する低屈折率層を備えているように構成することも可能である。
【００２７】
本発明の作用について説明する。
【００２８】
本発明は、拡散光源を備えることを特徴とする。拡散光源とは、出射される光の指向性が弱く、いずれの方向へも光を出射する光源をいう。拡散光源を使用することにより、容易に光を導光坂内部全体に出射することができる。また、表示素子の光源部にコリメータレンズ等を用いて光の方向性を規制する必要がないため、光源の光を有効に利用できるとともに、光源部を小型で安価に形成することができる。
【００２９】
導光板に入射した光は、前記全反射面と表示面と間で全反射を繰り返し、導光板内に行き渡る。光の全反射条件を満たす全反射面では、エバネッセント光が光の波長程度染み出している。
【００３０】
導光板の端面に備えた拡散光源から入射した光が全反射面で全反射している導光板において、前記光抽出構造体の光抽出面が、前記導光板の全反射面から光の波長分の距離よりも遠い第１の位置にある状態（以下、「ＯＦＦ状態」ともいう。）では、エバネッセント光は光抽出構造体に入射しない。
【００３１】
前記回路基板で変位素子を駆動させ、前記光抽出構造体の光抽出面の位置を前記全反射面から光の波長分の距離よりも近い第２の位置に移動させた状態（以下、「ＯＮ状態」ともいう。）において、導光板の全反射面から染み出したエバネッセント光は光抽出面から光抽出構造体へと入射する。光抽出構造体へ入射した光は、光反射面で反射し、光抽出面から出射されて再び導光板に入射する。導光板に入射した光は、導光板を透過して表示面から導光板の外部へ出射される。
【００３２】
このように、回路基板で変位素子を駆動させて光抽出構造体の光抽出面と導光板の全反射面との距離を制御する。該距離を制御することにより、前記エバネッセント光の光抽出構造体への入射、非入射を切り替える。
【００３３】
前記光抽出構造体は、入射した光を表示面へ反射する。このようにして導光板の表示面から出射する光（以下、「表示光」ともいう。）を制御することができ、観察者は表示面上で光の点灯、消灯を観察することが可能となる。
【００３４】
本発明の表示素子において、前記光抽出構造体の屈折率は、前記導光板の屈折率とほぼ同じであるか、導光板の屈折率よりも大きいことを特徴とする。これにより、前記光抽出面が前記第２の位置（ＯＮ状態）に移動した場合、前記全反射面から出ているエバネッセント光をすべて光抽出構造体に入射させることができ、表示素子としての光の利用効率を向上させることができる。
【００３５】
仮に、光抽出構造体の屈折率が導光板の屈折率よりも小さいとすると、光抽出構造体の光抽出面が第２の位置に移動した場合であっても、一部のエバネッセント光は導光板と光抽出構造体との界面で全反射条件を満たしてしまい、光抽出構造体に入射することなく導光板内に全反射してしまう。その結果、光抽出構造体から表示面へ出射する光も低下するので、表示素子としての光の利用効率が低下してしまう。
【００３６】
更に、本発明において、前記光抽出面と光反射面とがなす角度を最適化することにより、前記表示面から取り出される光の量を増加させることができ、いわゆる「光取り出し効率」を向上させることができる。光取り出し効率とは、前記光反射面で反射された光に対して、前記導光板の表示面で全反射されずに表示面から導光板外部に出射される光の割合をいい、光取り出し効率が高いほど明るい画面表示を実現することができる。
【００３７】
前記光取り出し効率の向上は、光反射面で反射された光の進行方向と前記表示面の法線とのなす角度をできる限り小さくすることにより実現される。
【００３８】
本発明において、光抽出構造体の屈折率と導光板の屈折率がほぼ同じである表示素子がＯＮ状態にあるとき、光抽出構造体の光抽出面と光反射面との角度が式（１）で与えられる角度θ１をなすと、光反射面で反射された光の進行方向は、光抽出面の法線方向を中心とする角度範囲に反射される。光抽出面と表示面は平行であるので、光反射面で反射された光の進行方向は表示面の法線方向を中心として反射されることとなる。これにより、光反射面で反射された光の進行方向と前記表示面の法線とのなす角を小さくすることができ、光取り出し効率が大きくなるので、明るい表示素子を得ることができる。
【００３９】
また、本発明において、光抽出構造体の屈折率が導光板の屈折率よりも大きい表示素子がＯＮ状態にあるとき、光抽出構造体の光抽出面と光反射面との角度が式（２）で与えられる角度θ２をなすと、光反射面で反射された光の進行方向は、光抽出面の法線方向を中心とする角度範囲に反射される。光抽出面と表示面は平行であるので、光反射面で反射された光の進行方向は表示面の法線方向を中心として反射されることとなる。これにより、光反射面で反射された光の進行方向と前記表示面の法線とのなす角を小さくすることができ、光取り出し効率が大きくなるので、明るい表示素子を得ることができる。
【００４０】
本発明において、前記光抽出構造体が三角柱状構造物であり、三角柱状構造物の３つの四辺形側面のうち、１つが導光板に対向する光抽出面であり、他の少なくとも１つが光反射面であることを特徴としている。光抽出構造体、変位素子の積層部（以下、「光取り出し素子」ともいう。）を１つの画素として考えると、前記光抽出面が四辺形側面であれば、光取り出し素子を１次元的又は２次元的に基板上に無駄な隙間がないように複数配置することができる。これにより、本発明の表示素子において、表示可能な情報量を大きくすることができる。
【００４１】
また、前記三角柱状構造物の三角形状の底面が前記導光板の端面と垂直となるように位置させることにより、光反射面で反射された光の進行方向と表示面の法線とのなす角が小さくなるので、表示素子の取り出し効率を大きくさせることができる。
【００４２】
また、本発明において、前記三角柱状構造体の３つの四辺形側面のうち２つの四辺形側面を光反射面とした場合、１つの光反射面は導光板の光源側の端面方向から光抽出構造体に入射した光を反射し、他の光反射面は光源側の端面に対向する端面（以下、「対向反射面」ともいう。）で反射し、該対向反射面方向から光抽出構造体に入射した光を反射する。よって、光源光を効率よく利用することができ、前記光抽出構造体から出射される光量が増加し、明るい画面表示を実現することができる。
【００４３】
本発明に係る表示素子は、前記表示面の近傍に光を光学的に変換する機能を少なくとも１つ有する光変換層を備えていることを特徴としている。前記光変換層を備えることにより、表示面から出射した表示光を光学的に変換することが可能となるので、使用用途に応じて表示光を様々に変換することが可能となる。
【００４４】
また、１つの光変換層に光学的変換機能を複数持たせたり、１つの光学的変換機能を持った光変換層を複数積層させた積層体を用いたりすることで、複数の光学的変換機能の組み合わせることができ、表示面から出射した表示光を様々に変換することが可能である。
【００４５】
この場合、表示素子は、前記光変換層に複数の光学的変換機能を持たせたり、１つの光学的変換機能を持った光変換層を複数積層させた積層体を用いたりすることで、複数の光学的変換機能を兼備することになる。これにより、前記表示面から出射した表示光は、複数の光変換効果を発現する。
【００４６】
また、前記光変換層は、光を散乱する機能を有するように構成することも可能である。前述のように、光取り出し効率を向上するためには、前記光抽出構造体の光反射面で反射した光の進行方向と表示面の法線とのなす角度が小さい方が好ましい。しかし、光反射面で反射した光の進行方向と表示面の法線とのなす角度を小さくすると、光取り出し効率は向上するが、視野角が狭くなる場合がある。前記光を散乱する機能を有する光変換層は、表示面から出射された光を散乱することにより、表示光を表示面の法線とのなす角度が大きい方向へも出射させることが可能となる。これにより、視野角の広い表示素子を得ることができる。
【００４７】
また、本発明における表示素子において、前記光変換層に波長選択機能を持たせることにより、表示面から導光板外部に出射する光の波長を制御することが可能となる。これにより、前記光反射面で反射した光のうち、特定の波長を有する光のみが光変換層を透過するようになるため、前記表示素子はカラー表示を行うことができる。
【００４８】
また、本発明に係る光変換層として、光の３原色に対応する波長選択性を組み合わせた光変換層を用いることにより、フルカラー画面表示が可能な表示素子を得ることもできる。
【００４９】
本発明において、前記導光板の前記表示面と前記光変換層との間に、前記（３）式で与えられる屈折率ｎ３を有する低屈折率層を備えることにより、前記表示装置を小型化することができる。
【００５０】
即ち、前記表示面の近傍に光変換層を備える場合、表示素子の小型化を考えると、表示面と光変換層を密着させて厚みをできるだけ薄くすることが好ましい。しかし、光変換層の屈折率が導光板の屈折率よりも大きい場合に、表示面と光変換層を密着させると、表示面と光変換層が接する面では光の全反射条件が成り立たないため、表示素子がＯＦＦ状態であっても導光板から光が漏出してしまう。そのため、前記表示面と光変換層とを密着させることができない。
【００５１】
本発明において、前記低屈折率層を備えることにより、前記導光板と低屈折率層が接する面で全反射条件が成り立ち、ＯＦＦ状態において導光板から光が出射することがない。従って、前記導光板、低屈折率層、及び光変換層をこの順に密着させて積層することことができ、表示素子の厚みを薄くすることが可能となる。
【００５２】
【発明の実施の形態】
本発明の実施の形態について、図面を用いて説明する。
【００５３】
＜表示素子の構造＞
図１は本発明における表示素子の断面図を示している。図１を用いて本発明の表示素子の構造と表示機構について説明する。
【００５４】
本発明の表示素子は、導光板１、拡散光源４と、光抽出構造体５、変位素子１４及び回路基板１６等によって構成されている。
【００５５】
導光板１は、光が内部で全反射することが可能な全反射面２、及び表示面１２を備える。導光板１の端部には、前記全反射面２及び表示面１２に垂直な端面３と対向反射面９が形成されている。
【００５６】
導光板１の材質は、ガラスや透光性のセラミックやアクリル等のプラスチック材料が好ましい。導光板１の全反射面２と表示面１２は平行な平面であるので、透過光１１は、全反射面２と表示面１２の両面で全反射を繰り返しながら導光板１中を伝搬する。透過光１１は、導光板１の全反射面２と表示面１２で全反射し続け、何ら外因のない通常状態において、導光板１の外部へ出射することがない。そのため、本実施形態に係る表示素子は、拡散光源４からの透過光１１を無駄なく利用することができる。
【００５７】
また、端面３に対向する対向反射面９は、導光板１内の透過光１１が正反射するように反射処理がされており、透過光１１を導光板１の端部から外部に逃がすことがない。そのため、本表示素子は、前記透過光１１を導光板１内で効率よく使うことができる。
【００５８】
導光板１の端面３の近傍には、拡散光源４が設置されている。拡散光源４は、特に限定されるものではないが、冷陰極管、熱陰極管、ＬＥＤ等が好ましい。
【００５９】
この拡散光源４の周囲には、拡散光源４から出射された出射光１０を反射して、前記導光板１の端面３に入射するように反射処理された反射部材８が設置されている。  反射部材８は、前記出射光１０を導光板１へ逃がさず入射することができる。
【００６０】
前記拡散光源４から出射される出射光１０は指向性が弱いため、前記反射部材８で反射された光も、前記端面３から入射され得る角度の範囲内において指向性が弱く、様々な入射角度で導光板１に入射される。反射部材８は、鏡面処理を施されたアルミニウム板等を加工して形成される。
【００６１】
本発明では、拡散光源４を用いることで、光源部１５を比較的単純な構造にすることができる。そのため、光源部１５を小型で安価にすることができ、ひいては表示素子全体を低コストで小型化することができる。
【００６２】
光抽出構造体５は透光性材料からなり、導光板１の全反射面２に対向するように配置されている。光抽出構造体５の材質は、ガラスや透光性のセラミックやアクリル等のプラスチック材料が好ましい。
【００６３】
光抽出構造体５の光抽出面６は、全反射面２に対向し、全反射面２から放出されたエバネッセント光を内部に透過する。また、光抽出構造体５の光反射面７は、光が正反射するように処理されており、光抽出面６から入射した光を反射させて、光抽出面６から出射させる。該光反射面７は、１つの光抽出構造体に対して少なくとも一面形成される。
【００６４】
光抽出構造体５は光抽出構造支持体１３に支持され、変位素子１４に固定されている。光抽出構造支持体１３は、前記光抽出体５の光抽出面６が導光板１の全反射面２と平行となるように、変位素子１４の端部に固定する。光抽出構造支持体１３は、前記光抽出構造体５の光反射面７における光の反射に影響を及ぼさない材料で形成される。また、光抽出構造支持体１３は、前記光抽出面６が全反射面２に当接する際の圧力を分散するために、適度な柔軟性を有する材料で形成されていてもよい。
【００６５】
なお、上記光抽出構造体５は、光抽出構造支持体１３を介さず、直接、変位素子１４に固着することも可能である。
【００６６】
変位素子１４は、光抽出構造体５の光抽出面６を、導光板１の全反射面２から光の波長分の距離よりも遠い第１の位置（ＯＦＦ状態）と、光の波長分の距離よりも近い第２の状態（ＯＮ状態）との間で移動させることができる。変位素子１４は、回路基板１６からの信号に基づき駆動する。変位素子１４は、特に限定されるものではなく、圧電素子、静電アクチュエータ、形状記憶合金アクチュエータ等から適宜選択して用いられる。
【００６７】
＜表示素子の表示機構＞
本実施形態に係る表示素子がどのようにして画面表示を可能とするかについて説明する。
【００６８】
図１において、拡散光源４から出射された出射光１０は、直接に又は反射部材８で反射されて端面３から導光板１に入射する。入射された光は、透過光１１として全反射面２と表示面１２とで全反射を繰り返しながら導光板１内を透過する。
【００６９】
変位素子１４を回路基板１６で駆動することにより、光抽出構造体５の光抽出面６の位置を導光板１の全反射面２から光の波長分の距離よりも遠い第１の位置に移動させた状態（ＯＦＦ状態）では、透過光１１は光抽出構造体５へ入射しない。この状態において、表示面１２に画像等は表示されていない。
【００７０】
変位素子１４を回路基板１６で駆動することにより、光抽出構造体５の光抽出面６の位置を導光板１の全反射面２から光の波長分の距離よりも近い第２の位置に移動させた状態（ＯＮ状態）では、導光板１の全反射面２から透過光１１がエバネッセント光として光抽出面６から光抽出構造体５へ入射する。光抽出構造体５は、入射した透過光１１を光反射面７で反射し光抽出面６から出射する。再び、導光板１に入射した光は、導光板１を透過して表示面１２から表示光１７として導光板１の外部へ出射される。この状態において、観察者１８は表示面１２から出射された表示光１７を感知し、画面表示を認識する。
【００７１】
このように、上記の２つの状態により表示面１２から出射する表示光１７を制御することができ、表示素子の表示面１２側にいる観察者１８は光の点灯、消灯を見ることが可能となる。また、表示光１７の階調はＯＮ状態の時間を回路基板１６で制御することにより、任意に変化させることができる。
【００７２】
以下、具体的な実施例について説明する。
【００７３】
（実施例１）
図２は、本発明の実施例１に係る表示素子の要部拡大断面図である。本実施例において、光抽出構造体５の屈折率と導光板１の屈折率とはほぼ同じである。図２は実施例１に係る表示素子のＯＮ状態の断面図を示している。
【００７４】
光源部１５は、拡散光源４と反射部材８から構成されている。拡散光源４及び反射部材８と導光板１の端面３との間の光入射部１９には、所定の屈折率を有する透光性の物質が充填されており、透光性の物質は空気等の気体やガラスや透光性セラミックや透光性プラスチック材料等が好ましい。
【００７５】
拡散光源４から光入射部１９に放射された出射光１０は、直接に、又は反射部材８で反射されて端面３から入射する。出射光１０は、端面３の法線２０に対して半角０°から９０°の角度範囲２１で入射する。
【００７６】
ここで、前記光入射部１９の屈折率をｎ０、導光板１の屈折率をｎ１とする。出射光１０の角度範囲２１とスネルの式を考慮すると、導光板１の内部に入射した透過光１１は、導光板１の端面３の法線２０に対して式（４）で表される半角ψ１の角度範囲２２で導光板１に入射される。
【００７７】
【数８】
2004325647.tif 000007
【００７８】
このように導光板１の内部の透過光１１は、上記角度範囲２２を持つ。表示素子がＯＮ状態にあるとき、光抽出構造体５に入射し光反射面７で反射された取り出し光２３は、角度範囲２４を持つ。
【００７９】
ＯＮ状態において、取り出し光２３に対する表示光１７の割合である光取り出し効率を大きくするためには、表示面１２で全反射条件を満たさない取り出し光の２３の割合を大きくする必要がある。そのために、取り出し光２３と表示面の法線２５とのなす角２６をできるだけ小さくする必要がある。取り出し光２３と表示面１２の法線２５のなす角２６を小さくするためには、前記取り出し光２３の角度範囲２４が決まっていることから、取り出し光２３の角度範囲２４の中心２７と表示面１２の法線２５とのなす角度を小さくすることが有効である。
【００８０】
これらのことより、本実施例では、取り出し光２３の角度範囲２４の中心２７と表示面１２の法線２５とのなす角度を小さくために、光抽出構造体５の光抽出面６と光反射面７との角度θ１を最適化する。本実施例において最適な角度θ１は、前記光入射光部１９の屈折率をｎ０、導光板１の屈折率をｎ１とすると、次式（１）で与えられる。
【００８１】
【数９】
2004325647.tif 000008
【００８２】
上記の式（１）について説明する。本実施例では、導光板１の屈折率と光抽出構造体５の屈折率は同じであるので、光反射面７に入射する光３２の角度範囲３３の角度ψ２は、導光板１に入射した透過光１１の角度範囲２２の半角ψ１と等しい。よって、光反射面７に入射する光３２は、表示面１２の法線２５に対して次式（５）で表される角度ψ２の角度範囲３３で入射する。
【００８３】
【数１０】
2004325647.tif 000009
【００８４】
上式（５）で表される角度範囲３３で光反射面７に入射する光３２の中心３４が、取り出し光２３の中心２７となす角度φ１は次式（６）で表される。
【００８５】
【数１１】
2004325647.tif 000010
【００８６】
前記光取り出し効率を大きくするためには、取り出し光２３の中心２７と表示面１２の法線２５とのなす角度２６をできるだけ小さくする必要がある。光反射面７において、光反射面７に入射する光３２の中心３４が表示面１２の法線２５方向と一致するとき、取り出し光２３は表示面１２の法線２５を中心に反射され、光取り出し効率を最も大きくすることができる。
【００８７】
光反射面７において、光反射面７に入射する光３２の中心３４が表示面１２の法線２５方向と一致するとき、角度φ１は光反射面７の法線２９によって１／２に分割される。また、光反射面７の法線２９と表示面１２の法線２５がなす角度φ２と、光抽出面６と光反射面７とがなす角度θ１は等しい。よって、θ１、φ１及びφ２の間には、
【数１２】
2004325647.tif 000011
で示される関係があり、式（１）が導き出される。
【００８８】
このように、上記の式（１）を満たすように光反射面７を設計することにより、光反射面７において、光反射面７に入射する光３２の中心３４が表示面１２の法線２５方向と一致し、取り出し光２３は表示面１２の法線２５を中心に反射されることとなり、光取り出し効率を大きくすることができる。
【００８９】
例えば、光入射部の屈折率ｎ０が１．０、導光板の屈折率ｎ１が１．５、光抽出構造体の屈折率ｎ２が１．５であるとき、式（１）により、光抽出面と光反射面とのなす角度θ１は約３４．５°と算出され、このとき光取り出し効率が最大となる。
【００９０】
このように、式（１）で最適化された光抽出面６と光反射面７の角度を、実測値と比較して検証する。
【００９１】
図４は、本発明における表示素子の表示光の正規化された照度の強度と、光抽出面６と光反射面７のなす角度との関係を示したグラフである。本実施例１に係る表示素子の実測結果を□で示す。図４から分かるように、光抽出面と光反射面の角度が３５°であるとき、正規化された照度が極大となっていることが分かる。よって、式（１）によって得られた値とよく合致しており、式（１）が本発明の表示素子における光抽出面と光反射面の設計に有効であることが分かる。
【００９２】
（実施例２）
図３は、本発明の実施例２に係る表示装置の要部拡大断面図である。本実施例において、光抽出構造体５の屈折率は、導光板１の屈折率より大きい。図３は表示素子のＯＮ状態の断面図を示している。
【００９３】
光源部１５は、上記実施例１と同等に構成されている。拡散光源４から出射された光は、端面３から導光板１に入射して伝搬してゆく。
【００９４】
ここで、入射光部１９の屈折率をｎ０、導光板１の屈折率をｎ１、光抽出構造体５の屈折率をｎ２とする。本実施例では、光抽出構造体５の屈折率は導光板１の屈折率よりも大きいので、ｎ１＜ｎ２の関係が成り立つ。前記実施例１と同様、表示面１２における光取り出し効率を大きくするために、光抽出構造体５の光抽出面６と光反射面７とのなす角度θ２を最適化すると、角度θ２は次の式（２）で与えられる。
【００９５】
【数１３】
2004325647.tif 000012
【００９６】
上記の式（２）について説明する。光抽出面６に入射する光は、光抽出面６の法線３８に対して次式（７）で表される角度ψ３の角度範囲３５で入射する。
【００９７】
【数１４】
2004325647.tif 000013
【００９８】
式（７）で表される角度範囲３５で光抽出面６に入射する光３６の中心３７と光抽出面６の法線３８とがなす角度φ３は次式（８）で表される。
【００９９】
【数１５】
2004325647.tif 000014
【０１００】
本実施例２において、導光板１の屈折率ｎ１と光抽出構造体５の屈折率ｎ２は異なるので、光抽出面６に入射する光３６は、光抽出面６で屈折して光抽出構造体５に入射する。光抽出構造体５に入射した光３９は、角度範囲４１を有している。入射した光３９の中心４０と光抽出面６の法線３８とがなす角度φ４は、スネルの式を考慮すると次式（９）で表される。
【０１０１】
【数１６】
2004325647.tif 000015
【０１０２】
光取り出し効率を大きくするためには、取り出し光２３の中心２７と表示面１２の法線２５のなす角度をできるだけ小さくする必要がある。光反射面７において、光反射面７に入射する光４７の中心４３が表示面１２の法線２５方向へ反射されるとき、取り出し光２３は表示面１２の法線２５を中心に反射され、光取り出し効率を大きくすることができる。
【０１０３】
光反射面７において、光反射面７に入射する光４７の中心４３が表示面１２の法線２５方向と一致するとき、角度φ４は光反射面７の法線２９によって１／２に分割される。また、光反射面７の法線２９と表示面１２の法線２５がなす角度φ５と、光抽出面６と光反射面７とがなす角度θ２は等しい。よって、θ２、φ４及びφ５の間には、
【数１７】
2004325647.tif 000016
で示される関係があり、式（２）が導き出される。
【０１０４】
このように、式（２）を満たすように光反射面７を設計することにより、光反射面７において、光反射面７に入射する光４７の中心４３が表示面１２の法線２５方向と一致し、取り出し光２３は表示面１２の法線２５を中心に反射されることとなり、光取り出し効率を大きくすることができる。
【０１０５】
例えば、光入射部の屈折率が１、導光板の屈折率が１．５、光抽出構造体の屈折率が１．７であるとき、式（２）により、光抽出面と光反射面の角度θ２は約２７．８°と算出され、このとき光取り出し効率が最大となる。
【０１０６】
このように、式（２）で最適化された光抽出面６と光反射面７の角度を、実測値と比較して検証する。図４は本発明の表示素子における表示光の正規化された照度の強度と、光抽出面６と光反射面７の角度の関係を示したものである。本実施例に係る表示素子の実測結果を◆で示す。図４から分かるように、光抽出面と光反射面の角度が３０°であるとき、正規化された照度が極大となっていることが分かる。よって、式（２）によって得られた値とよく合致しており、式（２）が本発明の表示素子における光抽出面と光反射面の設計に有効であることが分かる。
【０１０７】
（実施例３）
本実施例において、前記光抽出構造体の配置及び形状について説明する。本実施例の表示素子の基本的な構造は、前記実施例１又は実施例２で説明した表示素子を同様である。従って、以下、実施例３について前記各実施例と異なる構成について説明する。
【０１０８】
図１に示す光抽出構造体５、光抽出構造支持体１３及び変位素子１４の積層体（光取り出し素子）を１つの画素として考えると、光取り出し素子を１次元的又は２次元的に回路基板１６上に複数配置することにより、様々な情報の表示が可能となる。
【０１０９】
光取り出し素子を１次元的に配置すれば、変化量を表示するメータ等に用いることができ、また２次元的に配置すれば画像を表示が可能になり、画像表示装置として用いることができる。また、表示素子の光取り出し効率を大きくするには、光反射面をできるだけ大きくすることが好ましい。
【０１１０】
図５は、全反射面２に配置された光抽出構造体６の俯瞰図である。本実施例において、光抽出構造体５は、三角柱状に形成されている。光抽出構造体５の光抽出面６は四辺形側面であるため、導光板１に対して光抽出構造体５を無駄な隙間がないように敷き詰めることが可能である。また、光抽出構造体５を適切な三角柱状構造物に形成することで光反射面７を大きくすることができる。これにより、表示素子の表示可能な情報量を大きくすることができるとともに、表示素子の光取り出し効率を大きくすることができる。また、本実施例において、前記光抽出構造体５は、その三角形状の底面４８が導光板１の端面３と垂直な関係になるように設置されており、光取り出し効率を大きくすることができる。
【０１１１】
（実施例４）
図６は、実施例４に係る表示素子の要部拡大断面図である。本実施例の表示素子の基本的な構造は、前記実施例１乃至実施例３で説明した表示素子を同様である。従って、以下、実施例４について前記各実施例と異なる構成について説明する。
【０１１２】
本実施例において、光抽出構造体５は三角柱状構造物に形成されており、３つの四辺形側面のうち、１つの側面が前記光抽出面６であり、他の２つの側面が光反射面７、７′となるように形成されている。本実施例に係る表示素子は、光反射面７、７′を２つ設けることにより、一の光反射面７で導光板１の端面３方向からの透過光１１を反射し、他の光反射面７′で導光板１の対向反射面９方向からの透過光１１′を反射することが可能となる。光反射面を２つ設けることにより、光源部１５の核酸光源４及び反射部材８から導光板に入射された光を有効に利用することができる。
【０１１３】
（実施例５）
図７は、実施例５に係る表示素子の要部拡大断面図である。本実施例の表示素子の基本的な構造は、前記実施例１乃至実施例３で説明した表示素子を同様である。従って、以下、実施例４について前記各実施例と異なる構成について説明する。
【０１１４】
本実施例に係る表示素子は、表示面１２に近接して設けられ、前記表示面１２から出射した光を光学的に変換する少なくとも１つの光学的機能を有する光変換層４４を備える。
【０１１５】
光変換層４４を備えることにより、表示面１２から出射した表示光１７を光学的に変換することが可能となるので、表示素子の使用用途に応じて表示光１７を様々に変換することが可能となる。また、１つの光変換層に複数の光学的変換機能を持たせたり、光変換層にある光学的変換機能を持った複数の層を積層させた積層体を用いたりすることで、複数の光学的変換機能の組み合わせることができる。これにより、表示面から出射した表示光を様々に変換することが可能である。また、表示光の利用効率を著しく低下させないために、前記光変換層４４は光を光学的に変換する際には光の著しい減衰を生じさせないことが望ましい。
【０１１６】
本実施例に係る光変換層４４は、光を散乱する機能を有する。導光板１の表示面１２から出射した表示光１７は、前記光変換層４４で散乱されて多方向へ放射する拡散光となる。これにより、視野角の広い表示素子を得ることができる。光を散乱する機能を持った光変換層４４としては、磨りガラスのように透明物質の表面を荒らしたもの、透明物質にアルミニウム、銀、鉄等の反射体の微粒子を混入したもの、あるいはマイクロレンズアレイ等を用いることができる。
【０１１７】
（実施例６）
図８は、実施例６に係る表示素子の要部拡大断面図である。本実施例の表示素子の基本的な構造は、前記実施例１乃至実施例３で説明した表示素子を同様である。従って、以下、実施例５について前記各実施例と異なる構成について説明する。
【０１１８】
本実施例に係る表示素子は、波長選択機能を有する光変換層４４を備える。ここで、波長選択機能とは、白色光など種々の波長を有する光から特定の波長を有する光のみを選択的に透過させる機能をいう。本実施例に係る光変換層４４は、３種類のカラーフィルター４４′から構成されている。拡散光源４には、冷陰極管、熱陰極管又は白色発光ダイオード等の白色光源が使用される。該カラーフィルター４４′は、それぞれレッド、グリーン及びブルーの光の３原色に対し波長選択機能を備えており、これらのカラーフィルター４４′を透過した表示光１７は、透過したカラーフィルターの選択波長に応じて着色される。本実施例に係る表示素子は、上記３色の表示光１７の組み合わせを変化させることによりフルカラー表示を行うことができる。また、画素４９と画素４９の間にはブラックマトリックス４５を設けることが好ましい。ブラックマトリックス４５を設けることにより、表示光１７は画素４９のみから出射されるので、表示光１７のコントラストを向上させることができる。
【０１１９】
前記カラーフィルターに変えて透過型ホログラム等を用いることも可能である。透過型ホログラムは、レッド、グリーン及びブルーの光の３原色に対し波長選択機能を備えており、これらの透過型ホログラムを透過した表示素子１７は、透過した透過型ホログラムの選択波長に応じて着色される。本実施例に係る表示素子は、上記３色の表示光１７の組み合わせを変化させることによりフルカラー表示を行うことができる。
【０１２０】
本実施例において、前記波長選択機能を有する光変換層４４′に光を散乱する機能を付加させたり、該光変換層４４に光を散乱する機能を持った他の光変換層を積層したりすることも可能である。これにより、視野角の広いフルカラー表示素子を得ることができる。
【０１２１】
（実施例７）
図９は、実施例７に係る表示素子の要部拡大断面図である。本実施例の表示素子の基本的な構造は、前記実施例１乃至実施例３で説明した表示素子を同様である。従って、以下、実施例７について前記各実施例と異なる構成について説明する。
【０１２２】
本実施例は、ＯＦＦ状態において、透過光１１の光変換層４４″への漏出を低減する。即ち、導光板１の屈折率が前記光変換層の屈折率より大きく、導光板１と光変換層４４″とが密着して積層されている場合、表示素子がＯＦＦ状態であるにもかかわらず、表示面１２に入射する光の一部が光変換層４４″へ漏出してしまうおそれがあった。本実施例は、導光板１の表示面１２と光変換層４４″の間に低屈折率層４６を介在させ、該低屈折率層の屈折率を最適化することにより、ＯＦＦ状態における透過光１１の漏出を防止する。
【０１２３】
実施例７において、導光板１、低屈折率層４６及び光変換層４４″は、互いに密着した状態で積層されている。この場合、光入射部１９の屈折率をｎ０、導光板１の屈折率をｎ１とすると、低屈折率層４６は式（３）で与えられる屈折率ｎ３であることが最適である。
【０１２４】
【数１８】
2004325647.tif 000017
【０１２５】
式（３）について図９を用いて説明する。前述のように、透過光１１は導光板１の端面３の法線２０に対して、式（４）で示される半角ψ１の角度範囲２２を持つ。
【０１２６】
【数１９】
2004325647.tif 000018
【０１２７】
この角度範囲２２を持った透過光１１のすべてが導光板１と低屈折率層４６の界面、すなわち表示面１２で全反射条件を満たすために、低屈折率層の屈折率ｎ３は光の全反射条件から次式の式（１０）となる。
【０１２８】
【数２０】
2004325647.tif 000019
【０１２９】
よって、式（３）が得られる。表示面１２と光変換層４４″の間に上記条件を満たす低屈折率層４６を設けることにより、導光板１と低屈折率層４６の界面において透過光１１の全反射条件が保たれる。
【０１３０】
従来は、光変換層の屈折率が導光板の屈折率より大きい場合、表示素子がＯＦＦ状態における光の漏出を防止するため、導光板と光変換層を密着させて積層することができなかった。そのため、表示素子の厚みが厚くなる原因となっていた。
【０１３１】
本実施例に係る表示素子は、導光板１の表示面１２と光変換層４４″との間に前記低屈折率層４６を介在させることにより、導光板１と光変換層４４″とを低屈折率層４６を介して密着させて積層することができる。これにより、表示素子の厚みを薄くすることが可能となる。低屈折率層４６としては、ポーラスシリカ等の透明材料の薄膜が好ましい。
【０１３２】
なお、これまでに述べた表示素子は、本発明における表示素子の一例を示したものであり、本発明は実施の形態に示したいくつかの実施例や図面で示した大きさ、角度等に限定されるものではない。
【０１３３】
【発明の効果】
本発明に係る表示素子は、光抽出構造体の光抽出面と光抽出面の角度や光取り出しの形状を最適化することにより、光取り出し効率を向上させることができ、明るい表示素子を得ることができる。また、本発明に係る表示素子は、表示面の近傍に光変換層を設けることにより、使用用途に合わせて表示光を任意に変換することができ、様々な表示を行うことが可能な表示素子を得ることができる。
【０１３４】
更に、本発明に係る表示素子は、小型で安価な拡散光源を用いるため、表示素子全体を小型することができ、また安価に製造することができる。
【図面の簡単な説明】
【図１】本発明における表示素子の要部拡大断面図である。
【図２】実施例１に係る表示素子の要部拡大断面図である。
【図３】実施例２に係る表示素子の要部拡大断面図である。
【図４】本発明における表示素子の表示光の正規化された光束の強度と、光抽出面と光反射面の角度の関係を示したグラフである。
【図５】実施例３に係る表示素子の導光板と光抽出構造体の関係を示した俯瞰図である。
【図６】実施例４に係る表示素子の要部拡大断面図である。
【図７】実施例５に係る表示素子の要部拡大断面図である。
【図８】実施例６に係る表示素子の要部拡大断面図である。
【図９】実施例７に係る表示素子の要部拡大断面図である。
【図１０】従来技術に係る表示素子の断面図である。
【図１１】従来技術に係る光スイッチング素子の断面図である。
【符号の説明】
１  導光板
２  全反射面
３  端面
４  拡散光源
５  光抽出構造体
６  光抽出面
７  光反射面
８  反射部材
９  対向反射面
１２  表示面
１３  光抽出構造支持体
１４  変位素子
１６  回路基板
【図１】
2004325647.tif 000023
【図２】
2004325647.tif 000024
【図３】
2004325647.tif 000025
【図４】
2004325647.tif 000026
【図５】
2004325647.tif 000027
【図６】
2004325647.tif 000028
【図７】
2004325647.tif 000029
【図８】
2004325647.tif 000030
【図９】
2004325647.tif 000031
【図１０】
2004325647.tif 000032
【図１１】
2004325647.tif 000033